(57)【要約】【課題】簡便な手法によって対象物の画像を撮像画像に重ね合わせることができる画像生成システムおよび画像生成装置を提供する。【解決手段】画像生成システム１００は、画像合成装置２０および画像格納装置４０を備える。各表示部５に対応して設けられた格納部から、対応する対象画像に関連付けられた識別情報ＩＤ１を読み取る。識別情報ＩＤ１に基づいて画像格納装置４０で抽出された第１関連データＲＤ１１と、画像合成装置２０で取得された第２関連データＲＤ１２と、に基づいて撮像画像の上に対象画像を重ね合わせた合成画像を、生成する。【選択図】図１
2018136901.tif 000002
【特許請求の範囲】
【請求項１】
表示媒体上の各表示部に表示された対象画像に基づいて、合成画像を生成する画像生成システムであって、
各表示部は、背景画像の上に、対応する対象画像を重ね合わせた標本画像を、表示し、
(a) 画像合成装置と、
(b) 画像格納装置と、
を備え、
前記画像合成装置は、
(a-1) 前記表示媒体上において各表示部に対応して設けられた格納部から、対応する対象画像に関連付けられた識別情報を読み取る読取部と、
(a-2) 前記画像格納装置との間でデータの送受信を実行する第１通信部と、
(a-3) 前記第１通信部から前記画像格納装置に前記識別情報を送信させるとともに、前記識別情報の送信に応じて前記画像格納装置から前記第１送信部に送信されるデータを、第１関連データとして取得する第１取得部と、
(a-4) 対象空間の撮像画像に関連するデータを、第２関連データとして取得する第２取得部と、
(a-5) 使用者からの操作を受け付ける操作部と、
(a-6) 前記操作部からの操作に従って、前記第１取得部に前記第１関連データを、前記第２取得部に前記第２関連データを、それぞれ取得させるとともに、前記第１および第２関連データに基づいて前記撮像画像の上に前記識別情報に対応する対象画像を重ね合わせた前記合成画像を、生成する合成部と、
を有し、
前記画像格納装置は、
(b-1) 各表示部の対象画像に対応する第１画像データと、該対象画像に含まれる対象物のサイズの指標となる第１サイズ情報と、を関連付けて格納するデータベースを、記憶する第１記憶部と、
(b-2) 前記画像合成装置との間でデータの送受信を実行する第２通信部と、
(b-3) 前記第２通信部で受信された前記識別情報に基づいて選択される第１画像データおよび第１サイズ情報を、前記第１関連データとして前記データベースから抽出するとともに、前記第２通信部から前記画像合成装置に前記第１関連データを送信させる抽出部と、
を有し、
前記第２関連データは、
前記撮像画像に対応する第２画像データと、
前記対象空間における前記対象物のサイズの指標となる第２サイズ情報と、
を有し、
前記合成部は、前記第１および第２サイズ情報に基づいて伸縮させられた前記第２画像データと、前記第１画像データと、を合成することによって、前記合成画像に対応する第３画像データを生成することを特徴とする画像合成システム。
【請求項２】
第１表示媒体上の各表示部に表示された対象画像に基づいて、前記第１表示媒体の各表示部を再合成する画像生成システムであって、
各表示部は、背景画像の上に、対応する対象画像を重ね合わせた標本画像を、表示し、
(a) 画像合成装置と、
(b) 画像格納装置と、
を備え、
前記画像合成装置は、
(a-1) 前記第１表示媒体上に設けられた格納部から、前記第１表示媒体に関連付けられた識別情報を読み取る読取部と、
(a-2) 前記画像格納装置との間でデータの送受信を実行する第１通信部と、
(a-3) 前記第１通信部から前記画像格納装置に前記識別情報を送信させるとともに、前記識別情報の送信に応じて前記画像格納装置から前記第１送信部に送信されるデータを、第１関連データとして取得する第１取得部と、
(a-4) 対象空間の撮像画像に関連するデータを、第２関連データとして取得する第２取得部と、
(a-5) 使用者からの操作を受け付ける操作部と、
(a-6) 前記操作部からの操作に従って、前記第１取得部に前記第１関連データを、前記第２取得部に前記第２関連データを、それぞれ取得させるとともに、前記第１および第２関連データに基づいて各表示部が再合成された第２表示媒体を、生成する合成部と、
を有し、
前記画像格納装置は、
(b-1) 前記第１表示媒体を特定するための媒体番号と、各表示部の対象画像に対応する第１画像データと、該対象画像に含まれる対象物のサイズの指標となる第１サイズ情報と、を関連付けて１つのレコードとして格納するデータベースを、記憶する第１記憶部と、
(b-2) 前記画像合成装置との間でデータの送受信を実行する第２通信部と、
(b-3) 前記第２通信部で受信された前記識別情報に基づいて選択される一又は複数のレコードを、前記第１関連データとして前記データベースから抽出するとともに、前記第２通信部から前記画像合成装置に前記第１関連データを送信させる抽出部と、
を有し、
前記第２関連データは、
前記撮像画像に対応する第２画像データと、
前記対象空間における前記対象物のサイズの指標となる第２サイズ情報と、
を有し、
前記合成部は、
(i) 各表示部に対応する第１サイズ情報および前記第２サイズ情報に基づいて前記第２画像データを伸縮させた上で、伸縮させられた前記第２画像データと、前記第１画像データと、を合成することによって、各表示部の合成画像となる第３画像データを生成するとともに、
(ii)  各表示部に対応する第３画像データ従って、各表示部の標本画像から対応する合成画像に置換した第２表示媒体のデータを作成することを特徴とする画像合成システム。
【請求項３】
対象物を含む対象画像に基づいて合成画像を生成する画像生成システムであって、
(a) 画像合成装置と、
(b) 画像格納装置と、
を備え、
前記画像合成装置は、
(a-1) 前記対象物に付設された格納部から、前記対象画像に関連付けられた識別情報を読み取る読取部と、
(a-2) 前記画像格納装置との間でデータの送受信を実行する第１通信部と、
(a-3) 前記第１通信部から前記画像格納装置に前記識別情報を送信させるとともに、前記識別情報の送信に応じて前記画像格納装置から前記第１送信部に送信されるデータを、第１関連データとして取得する第１取得部と、
(a-4) 対象空間の撮像画像に関連するデータを、第２関連データとして取得する第２取得部と、
(a-5) 使用者からの操作を受け付ける操作部と、
(a-6) 前記操作部からの操作に従って、前記第１取得部に前記第１関連データを、前記第２取得部に前記第２関連データを、それぞれ取得させるとともに、前記第１および第２関連データに基づいて前記撮像画像の上に前記対象画像を重ね合わせた前記合成画像を、生成する合成部と、
を有し、
前記画像格納装置は、
(b-1) 前記対象画像に対応する第１画像データと、前記対象画像に含まれる前記対象物のサイズの指標となる第１サイズ情報と、を関連付けて格納するデータベースを、記憶する第１記憶部と、
(b-2) 前記画像合成装置との間でデータの送受信を実行する第２通信部と、
(b-3) 前記第２通信部で受信された前記識別情報に基づいて選択される第１画像データおよび第１サイズ情報を、前記第１関連データとして前記データベースから抽出するとともに、前記第２通信部から前記画像合成装置に前記第１関連データを送信させる抽出部と、
を有し、
前記第２関連データは、
前記撮像画像に対応する第２画像データと、
前記対象空間における前記対象物のサイズの指標となる第２サイズ情報と、
を有し、
前記合成部は、前記第１および第２サイズ情報に基づいて伸縮させられた前記第２画像データと、前記第１画像データと、を合成することによって、前記合成画像に対応する第３画像データを生成することを特徴とする画像合成システム。
【請求項４】
請求項１から請求項３のいずれかに記載の画像生成システムにおいて、
前記第２サイズ情報は、前記読取部により前記識別情報を読み取った後、前記操作部からの入力動作によって入力されることを特徴とする画像生成システム。
【請求項５】
請求項１から請求項３のいずれかに記載の画像生成システムにおいて、
前記第２サイズ情報は、前記読取部により前記識別情報を読み取る前に、設定されていることを特徴とする画像生成システム。
【請求項６】
請求項１から請求項５のいずれかに記載の画像生成システムにおいて、
前記対象空間は、前記画像合成装置の撮像部により撮像可能とされており、
前記第２取得部は、前記撮像部により撮像された前記第２画像データを、前記第２関連データの要素として取得することを特徴とする画像生成システム。
【請求項７】
請求項１から請求項５のいずれかに記載の画像生成システムにおいて、
前記画像合成装置は、
(a-7) 前記第２画像データを記憶可能な第２記憶部、
をさらに有し、
前記第２取得部は、前記第２記憶部に記憶された前記第２画像データを、前記第２関連データの要素として取得することを特徴とする画像生成システム。
【請求項８】
表示媒体上の各表示部に表示された対象画像に基づいて、合成画像を生成する画像生成装置であって、
各表示部は、背景画像の上に、対応する対象画像を重ね合わせた標本画像を、表示し、
(a) 各表示部の対象画像に対応する第１画像データと、該対象画像に含まれる対象物のサイズの指標となる第１サイズ情報と、を関連付けて格納するデータベースを、記憶する記憶部と、
(b) 前記表示媒体上において各表示部に対応して設けられた格納部から、対応する対象画像に関連付けられた識別情報を読み取る読取部と、
(c) 前記読取部により読み取られた前記識別情報に基づいて前記データベースから抽出される第１画像データおよび第１サイズ情報を、第１関連データとして取得する第１取得部と、
(d) 対象空間の撮像画像に関連するデータを、第２関連データとして取得する第２取得部と、
(e) 使用者からの操作を受け付ける操作部と、
(f) 前記操作部からの操作に従って、前記第１取得部に前記第１関連データを、前記第２取得部に前記第２関連データを、それぞれ取得させるとともに、前記第１および第２関連データに基づいて前記撮像画像の上に前記識別情報に対応する対象画像を重ね合わせた前記合成画像を、生成する合成部と、
を備え、
前記第２関連データは、
前記撮像画像に対応する第２画像データと、
前記対象空間における前記対象物のサイズの指標となる第２サイズ情報と、
を有し、
前記合成部は、前記第１および第２サイズ情報に基づいて伸縮させられた前記第２画像データと、前記第１画像データと、を合成することによって、前記合成画像に対応する第３画像データを生成することを特徴とする画像生成装置。
【請求項９】
第１表示媒体上の各表示部に表示された対象画像に基づいて、前記第１表示媒体の各表示部を再合成する画像生成装置であって、
各表示部は、背景画像の上に、対応する対象画像を重ね合わせた標本画像を、表示し、
(a) 前記第１表示媒体を特定するための媒体番号と、各表示部の対象画像に対応する第１画像データと、該対象画像に含まれる対象物のサイズの指標となる第１サイズ情報と、を関連付けて１つのレコードとして格納するデータベースを、記憶する記憶部と、
(b) 前記第１表示媒体上に設けられた格納部から、前記第１表示媒体に関連付けられた識別情報を読み取る読取部と、
(c) 前記読取部により読み取られた前記識別情報に基づいて前記データベースから抽出される一又は複数のレコードを、第１関連データとして取得する第１取得部と、
(d) 対象空間の撮像画像に関連するデータを、第２関連データとして取得する第２取得部と、
(e) 使用者からの操作を受け付ける操作部と、
(f) 前記操作部からの操作に従って、前記第１取得部に前記第１関連データを、前記第２取得部に前記第２関連データを、それぞれ取得させるとともに、前記第１および第２関連データに基づいて各表示部が再合成された第２表示媒体を、生成する合成部と、
を備え、
前記第２関連データは、
前記撮像画像に対応する第２画像データと、
前記対象空間における前記対象物のサイズの指標となる第２サイズ情報と、
を有し、
前記合成部は、
(i) 各表示部に対応する第１サイズ情報および前記第２サイズ情報に基づいて前記第２画像データを伸縮させた上で、伸縮させられた前記第２画像データと、前記第１画像データと、を合成することによって、各表示部の合成画像となる第３画像データを生成するとともに、
(ii)  各表示部に対応する第３画像データ従って、各表示部の標本画像から対応する合成画像に置換した第２表示媒体のデータを作成することを特徴とする特徴とする画像生成装置。
【請求項１０】
対象物を含む対象画像に基づいて、合成画像を生成する画像生成装置であって、
(a) 前記対象画像に対応する第１画像データと、前記対象画像に含まれる前記対象物のサイズの指標となる第１サイズ情報と、を関連付けて格納するデータベースを、記憶する記憶部と、
(b) 前記対象物に付設された格納部から、前記対象画像に関連付けられた識別情報を読み取る読取部と、
(c) 前記読取部により読み取られた前記識別情報に基づいて前記データベースから抽出される第１画像データおよび第１サイズ情報を、第１関連データとして取得する第１取得部と、
(d) 対象空間の撮像画像に関連するデータを、第２関連データとして取得する第２取得部と、
(e) 使用者からの操作を受け付ける操作部と、
(f) 前記操作部からの操作に従って、前記第１取得部に前記第１関連データを、前記第２取得部に前記第２関連データを、それぞれ取得させるとともに、前記第１および第２関連データに基づいて前記撮像画像の上に前記対象画像を重ね合わせた前記合成画像を、生成する合成部と、
を備え、
前記第２関連データは、
前記撮像画像に対応する第２画像データと、
前記対象空間における前記対象物のサイズの指標となる第２サイズ情報と、
を有し、
前記合成部は、前記第１および第２サイズ情報に基づいて伸縮させられた前記第２画像データと、前記第１画像データと、を合成することによって、前記合成画像に対応する第３画像データを生成することを特徴とする画像生成装置。
【請求項１１】
請求項８から請求項１０のいずれに記載の画像生成装置において、
前記第２サイズ情報は、前記読取部により前記識別情報を読み取った後、前記操作部からの入力動作によって入力されることを特徴とする画像生成装置。
【請求項１２】
請求項８から請求項１０のいずれに記載の画像生成装置において、
前記第２サイズ情報は、前記読取部により前記識別情報を読み取る前に、設定されていることを特徴とする画像生成装置。
【請求項１３】
請求項８から請求項１２のいずれかに記載の画像生成装置において、
前記対象空間は、撮像部により撮像可能とされており、
前記第２取得部は、前記撮像部により撮像された前記第２画像データを、前記第２関連データの要素として取得することを特徴とする画像生成装置。
【請求項１４】
請求項８から請求項１２のいずれかに記載の画像生成装置において、
前記記憶部は、前記第２画像データを記憶可能とされており、
前記第２取得部は、前記記憶部に記憶された前記第２画像データを、前記第２関連データの要素として取得することを特徴とする画像生成装置。
【発明の詳細な説明】
【技術分野】
【０００１】
本発明は、画像生成システムおよび画像生成装置に関する。
【背景技術】
【０００２】
従来、予めダウンロードされた商品の３Ｄ画像の画像データを、部屋のスルー画の画像データとリアルタイムに合成する技術が、知られている（例えば、特許文献１）。
【先行技術文献】
【特許文献】
【０００３】
【特許文献１】特開２００７−３２３５１６号公報
【発明の概要】
【発明が解決しようとする課題】
【０００４】
このように、特許文献１の技術では、３Ｄ画像の画像データを取り扱うため、商品の位置や姿勢を変更するときに演算コストが増大するという問題が生ずる。
【０００５】
そこで、本発明では、簡便な手法によって対象物の画像を撮像画像に重ね合わせることができる画像生成システムおよび画像生成装置を提供することを目的とする。
【課題を解決するための手段】
【０００６】
上記の課題を解決するため、請求項１の発明は、表示媒体上の各表示部に表示された対象画像に基づいて、合成画像を生成する画像生成システムであって、各表示部は、背景画像の上に、対応する対象画像を重ね合わせた標本画像を、表示し、画像合成装置と、画像格納装置とを備え、前記画像合成装置は、前記表示媒体上において各表示部に対応して設けられた格納部から、対応する対象画像に関連付けられた識別情報を読み取る読取部と、前記画像格納装置との間でデータの送受信を実行する第１通信部と、前記第１通信部から前記画像格納装置に前記識別情報を送信させるとともに、前記識別情報の送信に応じて前記画像格納装置から前記第１送信部に送信されるデータを、第１関連データとして取得する第１取得部と、対象空間の撮像画像に関連するデータを、第２関連データとして取得する第２取得部と、使用者からの操作を受け付ける操作部と、前記操作部からの操作に従って、前記第１取得部に前記第１関連データを、前記第２取得部に前記第２関連データを、それぞれ取得させるとともに、前記第１および第２関連データに基づいて前記撮像画像の上に前記識別情報に対応する対象画像を重ね合わせた前記合成画像を、生成する合成部とを有し、前記画像格納装置は、各表示部の対象画像に対応する第１画像データと、該対象画像に含まれる対象物のサイズの指標となる第１サイズ情報とを関連付けて格納するデータベースを、記憶する第１記憶部と、前記画像合成装置との間でデータの送受信を実行する第２通信部と、前記第２通信部で受信された前記識別情報に基づいて選択される第１画像データおよび第１サイズ情報を、前記第１関連データとして前記データベースから抽出するとともに、前記第２通信部から前記画像合成装置に前記第１関連データを送信させる抽出部とを有し、前記第２関連データは、前記撮像画像に対応する第２画像データと、前記対象空間における前記対象物のサイズの指標となる第２サイズ情報とを有し、前記合成部は、前記第１および第２サイズ情報に基づいて伸縮させられた前記第２画像データと、前記第１画像データとを合成することによって、前記合成画像に対応する第３画像データを生成することを特徴とする。
【０００７】
また、請求項２の発明は、第１表示媒体上の各表示部に表示された対象画像に基づいて、前記第１表示媒体の各表示部を再合成する画像生成システムであって、各表示部は、背景画像の上に、対応する対象画像を重ね合わせた標本画像を、表示し、画像合成装置と、画像格納装置とを備え、前記画像合成装置は、前記第１表示媒体上に設けられた格納部から、前記第１表示媒体に関連付けられた識別情報を読み取る読取部と、前記画像格納装置との間でデータの送受信を実行する第１通信部と、前記第１通信部から前記画像格納装置に前記識別情報を送信させるとともに、前記識別情報の送信に応じて前記画像格納装置から前記第１送信部に送信されるデータを、第１関連データとして取得する第１取得部と、対象空間の撮像画像に関連するデータを、第２関連データとして取得する第２取得部と、使用者からの操作を受け付ける操作部と、前記操作部からの操作に従って、前記第１取得部に前記第１関連データを、前記第２取得部に前記第２関連データを、それぞれ取得させるとともに、前記第１および第２関連データに基づいて各表示部が再合成された第２表示媒体を、生成する合成部とを有し、前記画像格納装置は、前記第１表示媒体を特定するための媒体番号と、各表示部の対象画像に対応する第１画像データと、該対象画像に含まれる対象物のサイズの指標となる第１サイズ情報とを関連付けて１つのレコードとして格納するデータベースを、記憶する第１記憶部と、前記画像合成装置との間でデータの送受信を実行する第２通信部と、前記第２通信部で受信された前記識別情報に基づいて選択される一又は複数のレコードを、前記第１関連データとして前記データベースから抽出するとともに、前記第２通信部から前記画像合成装置に前記第１関連データを送信させる抽出部とを有し、前記第２関連データは、前記撮像画像に対応する第２画像データと、前記対象空間における前記対象物のサイズの指標となる第２サイズ情報とを有し、前記合成部は、各表示部に対応する第１サイズ情報および前記第２サイズ情報に基づいて前記第２画像データを伸縮させた上で、伸縮させられた前記第２画像データと、前記第１画像データとを合成することによって、各表示部の合成画像となる第３画像データを生成するとともに、各表示部に対応する第３画像データ従って、各表示部の標本画像から対応する合成画像に置換した第２表示媒体のデータを作成することを特徴とする。
【０００８】
また、請求項３の発明は、対象物を含む対象画像に基づいて合成画像を生成する画像生成システムであって、画像合成装置と、画像格納装置とを備え、前記画像合成装置は、前記対象物に付設された格納部から、前記対象画像に関連付けられた識別情報を読み取る読取部と、前記画像格納装置との間でデータの送受信を実行する第１通信部と、前記第１通信部から前記画像格納装置に前記識別情報を送信させるとともに、前記識別情報の送信に応じて前記画像格納装置から前記第１送信部に送信されるデータを、第１関連データとして取得する第１取得部と、対象空間の撮像画像に関連するデータを、第２関連データとして取得する第２取得部と、使用者からの操作を受け付ける操作部と、前記操作部からの操作に従って、前記第１取得部に前記第１関連データを、前記第２取得部に前記第２関連データを、それぞれ取得させるとともに、前記第１および第２関連データに基づいて前記撮像画像の上に前記対象画像を重ね合わせた前記合成画像を、生成する合成部とを有し、前記画像格納装置は、前記対象画像に対応する第１画像データと、前記対象画像に含まれる前記対象物のサイズの指標となる第１サイズ情報とを関連付けて格納するデータベースを、記憶する第１記憶部と、前記画像合成装置との間でデータの送受信を実行する第２通信部と、前記第２通信部で受信された前記識別情報に基づいて選択される第１画像データおよび第１サイズ情報を、前記第１関連データとして前記データベースから抽出するとともに、前記第２通信部から前記画像合成装置に前記第１関連データを送信させる抽出部とを有し、前記第２関連データは、前記撮像画像に対応する第２画像データと、前記対象空間における前記対象物のサイズの指標となる第２サイズ情報とを有し、前記合成部は、前記第１および第２サイズ情報に基づいて伸縮させられた前記第２画像データと、前記第１画像データとを合成することによって、前記合成画像に対応する第３画像データを生成することを特徴とする。
【０００９】
また、請求項４の発明は、請求項１から請求項３のいずれかに記載の画像生成システムにおいて、前記第２サイズ情報は、前記読取部により前記識別情報を読み取った後、前記操作部からの入力動作によって入力されることを特徴とする。
【００１０】
また、請求項５の発明は、請求項１から請求項３のいずれかに記載の画像生成システムにおいて、前記第２サイズ情報は、前記読取部により前記識別情報を読み取る前に、設定されていることを特徴とする。
【００１１】
また、請求項６の発明は、請求項１から請求項５のいずれかに記載の画像生成システムにおいて、前記対象空間は、前記画像合成装置の撮像部により撮像可能とされており、前記第２取得部は、前記撮像部により撮像された前記第２画像データを、前記第２関連データの要素として取得することを特徴とする。
【００１２】
また、請求項７の発明は、請求項１から請求項５のいずれかに記載の画像生成システムにおいて、前記画像合成装置は、前記第２画像データを記憶可能な第２記憶部、をさらに有し、前記第２取得部は、前記第２記憶部に記憶された前記第２画像データを、前記第２関連データの要素として取得することを特徴とする。
【００１３】
また、請求項８の発明は、表示媒体上の各表示部に表示された対象画像に基づいて、合成画像を生成する画像生成装置であって、各表示部は、背景画像の上に、対応する対象画像を重ね合わせた標本画像を、表示し、各表示部の対象画像に対応する第１画像データと、該対象画像に含まれる対象物のサイズの指標となる第１サイズ情報とを関連付けて格納するデータベースを、記憶する記憶部と、前記表示媒体上において各表示部に対応して設けられた格納部から、対応する対象画像に関連付けられた識別情報を読み取る読取部と、前記読取部により読み取られた前記識別情報に基づいて前記データベースから抽出される第１画像データおよび第１サイズ情報を、第１関連データとして取得する第１取得部と、対象空間の撮像画像に関連するデータを、第２関連データとして取得する第２取得部と、使用者からの操作を受け付ける操作部と、前記操作部からの操作に従って、前記第１取得部に前記第１関連データを、前記第２取得部に前記第２関連データを、それぞれ取得させるとともに、前記第１および第２関連データに基づいて前記撮像画像の上に前記識別情報に対応する対象画像を重ね合わせた前記合成画像を、生成する合成部とを備え、前記第２関連データは、前記撮像画像に対応する第２画像データと、前記対象空間における前記対象物のサイズの指標となる第２サイズ情報とを有し、前記合成部は、前記第１および第２サイズ情報に基づいて伸縮させられた前記第２画像データと、前記第１画像データとを合成することによって、前記合成画像に対応する第３画像データを生成することを特徴とする。
【００１４】
また、請求項９の発明は、第１表示媒体上の各表示部に表示された対象画像に基づいて、前記第１表示媒体の各表示部を再合成する画像生成装置であって、各表示部は、背景画像の上に、対応する対象画像を重ね合わせた標本画像を、表示し、前記第１表示媒体を特定するための媒体番号と、各表示部の対象画像に対応する第１画像データと、該対象画像に含まれる対象物のサイズの指標となる第１サイズ情報とを関連付けて１つのレコードとして格納するデータベースを、記憶する記憶部と、前記第１表示媒体上に設けられた格納部から、前記第１表示媒体に関連付けられた識別情報を読み取る読取部と、前記読取部により読み取られた前記識別情報に基づいて前記データベースから抽出される一又は複数のレコードを、第１関連データとして取得する第１取得部と、対象空間の撮像画像に関連するデータを、第２関連データとして取得する第２取得部と、使用者からの操作を受け付ける操作部と、前記操作部からの操作に従って、前記第１取得部に前記第１関連データを、前記第２取得部に前記第２関連データを、それぞれ取得させるとともに、前記第１および第２関連データに基づいて各表示部が再合成された第２表示媒体を、生成する合成部とを備え、前記第２関連データは、前記撮像画像に対応する第２画像データと、前記対象空間における前記対象物のサイズの指標となる第２サイズ情報とを有し、前記合成部は、各表示部に対応する第１サイズ情報および前記第２サイズ情報に基づいて前記第２画像データを伸縮させた上で、伸縮させられた前記第２画像データと、前記第１画像データとを合成することによって、各表示部の合成画像となる第３画像データを生成するとともに、各表示部に対応する第３画像データ従って、各表示部の標本画像から対応する合成画像に置換した第２表示媒体のデータを作成することを特徴とする。
【００１５】
また、請求項１０の発明は、対象物を含む対象画像に基づいて、合成画像を生成する画像生成装置であって、前記対象画像に対応する第１画像データと、前記対象画像に含まれる前記対象物のサイズの指標となる第１サイズ情報とを関連付けて格納するデータベースを、記憶する記憶部と、前記対象物に付設された格納部から、前記対象画像に関連付けられた識別情報を読み取る読取部と、前記読取部により読み取られた前記識別情報に基づいて前記データベースから抽出される第１画像データおよび第１サイズ情報を、第１関連データとして取得する第１取得部と、対象空間の撮像画像に関連するデータを、第２関連データとして取得する第２取得部と、使用者からの操作を受け付ける操作部と、前記操作部からの操作に従って、前記第１取得部に前記第１関連データを、前記第２取得部に前記第２関連データを、それぞれ取得させるとともに、前記第１および第２関連データに基づいて前記撮像画像の上に前記対象画像を重ね合わせた前記合成画像を、生成する合成部とを備え、前記第２関連データは、前記撮像画像に対応する第２画像データと、前記対象空間における前記対象物のサイズの指標となる第２サイズ情報とを有し、前記合成部は、前記第１および第２サイズ情報に基づいて伸縮させられた前記第２画像データと、前記第１画像データとを合成することによって、前記合成画像に対応する第３画像データを生成することを特徴とする。
【００１６】
また、請求項１１の発明は、請求項８から請求項１０のいずれに記載の画像生成装置において、前記第２サイズ情報は、前記読取部により前記識別情報を読み取った後、前記操作部からの入力動作によって入力されることを特徴とする。
【００１７】
また、請求項１２の発明は、請求項８から請求項１０のいずれに記載の画像生成装置において、前記第２サイズ情報は、前記読取部により前記識別情報を読み取る前に、設定されていることを特徴とする。
【００１８】
また、請求項１３の発明は、請求項８から請求項１２のいずれかに記載の画像生成装置において、前記対象空間は、撮像部により撮像可能とされており、前記第２取得部は、前記撮像部により撮像された前記第２画像データを、前記第２関連データの要素として取得することを特徴とする。
【００１９】
また、請求項１４の発明は、請求項８から請求項１２のいずれかに記載の画像生成装置において、前記記憶部は、前記第２画像データを記憶可能とされており、前記第２取得部は、前記記憶部に記憶された前記第２画像データを、前記第２関連データの要素として取得することを特徴とする。
【発明の効果】
【００２０】
請求項１、請求項４から請求項７、請求項８、および請求項１１から請求項１４に記載の発明によれば、簡便な操作によって、対象物を仮想的に対象空間に配置することができる。そのため、現物の対象物を用意することなく、対象空間における対象物の使用感を確認することができる。
【００２１】
また、請求項２  請求項４から請求項７、請求項９、および請求項１１から請求項１４に記載の発明によれば、各表示部の標本画像を対応する合成画像に置換した第２表示媒体を、簡便な操作により生成することができる。すなわち、各表示部に含まれる対象物を、仮想的に対象空間に配置することができる。そのため、現物の対象物を用意することなく、対象空間における各対象物の使用感を確認することができる。
【００２２】
また、請求項３から請求項７、および請求項１０から請求項１４に記載の発明によれば、簡便な操作によって、対象物を仮想的に対象空間に配置することができる。そのため、対象物を対象空間にて使用することなく、対象空間における対象物の使用感を確認することができる。
【図面の簡単な説明】
【００２３】
【図１】本発明の第１および第３の実施の形態における画像生成システムの構成の一例を示す図である。
【図２】本発明の第１および第３の実施の形態における画像合成装置の構成の一例を示す図である。
【図３】本発明の第１から第４の実施の形態におけるカタログの構成の一例を示す図である。
【図４】本発明の第１、第２、第５、および第６の実施の形態における識別情報の構成の一例を示す図である。
【図５】本発明の第１および第５の実施の形態における画像格納装置の構成の一例を示す図である。
【図６】本発明の第１から第６の実施の形態における第１テーブルのデータ構造の一例を示す図である。
【図７】本発明の第１および第５の実施の形態における画像生成手順を説明するためのフローチャートである。
【図８】本発明の第１および第２の実施の形態においてタッチパネル部に表示される画面の一例を示す図である。
【図９】本発明の第１から第６の実施の形態においてタッチパネル部に表示される画面の一例を示す図である。
【図１０】本発明の第１から第６の実施の形態においてタッチパネル部に表示される画面の一例を示す図である。
【図１１】本発明の第１から第６の実施の形態においてタッチパネル部に表示される画面の一例を示す図である。
【図１２】本発明の第１および第６の実施の形態においてタッチパネル部に表示される画面の一例を示す図である。
【図１３】本発明の第２の実施の形態における画像生成装置の構成の一例を示す図である。
【図１４】本発明の第２および第６の実施の形態における画像生成手順を説明するためのフローチャートである。
【図１５】本発明の第３の実施の形態における画像格納装置の構成の一例を示す図である。
【図１６】本発明の第３および第４の実施の形態における第２テーブルのデータ構造の一例を示す図である。
【図１７】本発明の第３および第４の実施の形態において第１および第２テーブルに基づいて構成される仮想テーブルのデータ構造の一例を示す図である。
【図１８】本発明の第３および第４の実施の形態における識別情報の構成の一例を示す図である。
【図１９】本発明の第３の実施の形態における画像生成手順を説明するためのフローチャートである。
【図２０】本発明の第３および第４の実施の形態における第１表示媒体の表紙の一例を示す図である。
【図２１】本発明の第３および第４の実施の形態においてタッチパネル部に表示される画面の一例を示す図である。
【図２２】本発明の第３および第４の実施の形態において再合成された表示部の一例を示す図である。
【図２３】本発明の第４の実施の形態における画像生成装置の構成の一例を示す図である。
【図２４】本発明の第４の実施の形態における画像生成手順を説明するためのフローチャートである。
【図２５】本発明の第５の実施の形態における画像生成システムの構成の一例を示す図である。
【図２６】本発明の第５および第６の実施の形態における対象物の構成の一例を示す図である。
【図２７】本発明の第５の実施の形態における画像合成装置の構成の一例を示す図である。
【図２８】本発明の第６の実施の形態における画像生成装置の構成の一例を示す図である。
【発明を実施するための形態】
【００２４】
以下、図面を参照しつつ本発明の実施の形態について詳細に説明する。
【００２５】
＜１．第１の実施の形態＞
＜１．１．画像生成システムの構成＞
図１は、画像生成システム１００の構成の一例を示す図である。ここで、画像生成システム１００は、カタログ１上の各表示部５に表示された対象画像に基づいて合成画像を生成する。図１に示すように、画像生成システム１００は、主として、画像合成装置２０と、画像格納装置４０と、を備える。また、画像合成装置２０および画像格納装置４０は、ネットワーク２を介して通信可能に接続されている。
【００２６】
画像合成装置２０は、合成画像の生成を指示する使用者の端末である。本実施の形態において、画像合成装置２０は、いわゆるスマートフォン（Smartphone）やタブレット端末のような携帯端末により構成されている。なお、画像合成装置２０の詳細な構成については後述する。
【００２７】
画像格納装置４０は、例えば合成画像の生成に用いられる画像データが格納されるデータサーバである。本実施の形態において、画像格納装置４０は、いわゆるパーソナルコンピュータやワークステーションのような電子計算機により構成されている。なお、画像格納装置４０の詳細な構成については後述する。
【００２８】
＜１．２．画像合成装置の構成＞
図２は、画像合成装置２０の構成の一例を示す図である。図２に示すように、画像合成装置２０は、主として、ＣＰＵ２１と、ＲＡＭ３２と、ＲＯＭ３３と、第１通信部３５と、タッチパネル部３６と、画像入力部３７と、を有している。また、ＣＰＵ２１、ＲＡＭ３２、ＲＯＭ３３、第１通信部３５、表示処理部３８、および入出力処理部３９は、バス２１ａを介して電気的に接続されている。
【００２９】
ＲＡＭ３２（第２記憶部）は、いわゆる揮発性のメモリにより構成されている。第２記憶部には、ＣＰＵ２１の演算で使用されるデータが格納可能とされている。ＲＯＭ３３は、いわゆる不揮発性メモリにより構成されている。ＲＯＭ３３には、例えば、プログラム３３ａが格納されている。なお、ＲＡＭ３２およびＲＯＭ３３としては、読み書き自在の不揮発性メモリであるフラッシュメモリが使用されてもよい。
【００３０】
ＣＰＵ２１は、ＲＯＭ３３のプログラム３３ａに従った動作制御やデータ処理を実行する。また、図２中のＣＰＵ２１内に記載されているブロック（それぞれ符号２２〜２４が付与されている）に対応する演算機能は、ＣＰＵ２１により実現される。なお、各ブロック２２〜２４に対応する演算機能については後述する。
【００３１】
第１通信部３５は、ＣＰＵ２１からの指令に従い、ネットワーク２を介して接続された画像格納装置４０（図１参照）等との間で、データの送受信を実行する。例えば、図１および図２に示すように、第１通信部３５は、識別情報ＩＤ１を画像格納装置４０に対して送信可能とされている。また、第１通信部３５は、画像格納装置４０から送信される第１関連データＲＤ１１を受信可能とされている。
【００３２】
タッチパネル部３６は、例えば、液晶ディスプレイのような「表示機器」としての機能と、指や専用のペンで画面に触れることによって画面上の位置を指定できる「タッチパネル」としての機能と、を有している。すなわち、タッチパネル部３６は、使用者からの操作を受け付ける操作部として機能する。
【００３３】
図３は、カタログ１の構成の一例を示す図である。図４は、識別情報ＩＤ１の構成の一例を示す図である。画像入力部３７は、いわゆるカメラに構成されており、画像データの入力に用いられる。
【００３４】
ここで、本実施の形態のカタログ１（表示媒体）は、商品を掲載するための印刷物（表示媒体）である。本実施の形態のカタログ１には、図３に示すように、商品（対象物）を表示する複数の表示部５（５ａ、５ｂ）が設けられている。より具体的には、本実施の形態では、各表示部５に表示される対象物としてユニフォーム（制服）が、採用されている。また、各表示部５（５ａ、５ｂ）は、背景画像１２の上に、対応するユニフォームを着用した人物の画像（以下、「対象画像」と称する）１１を重ね合わせた標本画像１０を、表示する。
【００３５】
また、各表示部５（５ａ、５ｂ）の付近には、それぞれ格納部６（６ａ、６ｂ）が隣接して設けられている。本実施の形態では、格納部６として２次元バーコードが採用されており、格納部６は画像入力部３７により読取可能とされている。
【００３６】
また、各格納部６（６ａ、６ｂ）には、対象物番号ＴＮを含む識別情報ＩＤ１（図４参照）が格納されている。対象物番号ＴＮは、表示部５に表示された対象物を一意に特定するためのコードである。ここで、本実施の形態において、同種の対象物（例えば、型式が同一の商品）には、同一の対象物番号ＴＮが付与されている。
【００３７】
このように、画像入力部３７は、カタログ１上において各表示部５に対応して設けられた格納部６から、対応する対象画像１１に関連付けられた識別情報ＩＤ１を読み取る読取部としても使用できる。
【００３８】
表示処理部３８、ビデオコントローラにより構成されており、信号線３８ａを介してタッチパネル部３６と電気的に接続されている。したがって、表示処理部３８により描画処理が実行されると、タッチパネル部３６の画面には文字や図形等が表示される。
【００３９】
入出力処理部３９は、画像合成装置２０と、画像合成装置２０の外部機器との間のデータ授受に使用される。図２に示すように、入出力処理部３９は、信号線３９ａを介して、タッチパネル部３６および画像入力部３７と電気的に接続されている。これにより、画像合成装置２０のＣＰＵ２１は、タッチパネル部３６において使用者から指定される位置情報や、画像入力部３７で撮像された画像データを取得できる。
【００４０】
＜１．３．画像格納装置の構成＞
図５は、画像格納装置４０の構成の一例を示す図である。図６は、第１テーブル６１のデータ構造の一例を示す図である。図５に示すように、画像格納装置４０は、主として、ＣＰＵ４１と、大容量記憶部５１と、ＲＡＭ５２と、ＲＯＭ５３と、モニタ５４と、第２通信部５５と、入力部５６と、を有している。また、ＣＰＵ４１、大容量記憶部５１、ＲＡＭ５２、ＲＯＭ５３、第２通信部５５、表示処理部５８、および入出力処理部５９は、バス４１ａを介して電気的に接続されている。
【００４１】
大容量記憶部５１は、シリコンディスクドライブやハードディスクドライブ等のようにＲＡＭ５２と比較して記憶容量の大きな素子により構成されており、必要に応じてＲＡＭ５２との間でデータの授受を行う。
【００４２】
ＲＡＭ５２（第１記憶部）は、いわゆる揮発性のメモリにより構成されている。ＲＡＭ５２は、ＣＰＵ４１の演算で使用されるデータ（例えば、データベース６０）を記憶可能とされている。
【００４３】
ここで、データベース６０は、図５に示すように、第１テーブル６１を有している。第１テーブル６１には、カタログ１の各表示部５に表示される対象画像１１の情報が格納されている。図６に示すように、第１テーブル６１は、主として、「対象物番号ＴＮ」、「第１サイズ情報ＳＤ１」、および「第１画像データＰＤ１」の各フィールド（列）を有している。
【００４４】
「対象物番号ＴＮ」フィールドには、各対象画像１１に対して付与されたコード（例えば、英数字、および／または、記号）が、格納されている。各レコード（行）の「対象物番号ＴＮ」には、重複しない値が格納されている。したがって、第１テーブル６１の各レコードは、「対象物番号ＴＮ」によって一意に識別される。
【００４５】
「第１画像データＰＤ１」フィールドには、各対象画像１１に対応する第１画像データＰＤ１の格納場所を示す文字列が、格納されている。例えば、図６に示すように、「対象物番号ＴＮ」＝「１００９１」となるレコードに対応する対象画像１１の第１画像データＰＤ１は、「●●●／●○●．ＪＰＧ」に格納されている。ここで、各第１画像データＰＤ１の格納場所は、画像格納装置４０に設けられた大容量記憶部５１およびＲＡＭ５２であっても良いし、ネットワーク２を介して接続された装置上であっても良い。
【００４６】
また、「第１サイズ情報ＳＤ１」フィールドには、各対象画像１１に含まれる対象物のサイズの指標となる情報が、格納されている。ここで、第１サイズ情報ＳＤ１としては対象画像１１の高さ（単位：ピクセル）が採用されても良い。
【００４７】
そして、第１テーブル６１の各レコードのうち、「対象物番号ＴＮ」の値が特定の値と等しくなるレコードが選択されることによって、特定の対象画像１１に対応する第１画像データＰＤ１および第１サイズ情報ＳＤ１が、第１テーブル６１から抽出される。このように、データベース６０は、対象画像１１に対応する第１画像データＰＤ１と、第１サイズ情報ＳＤ１と、を関連付けて格納する。
【００４８】
ＲＯＭ５３は、いわゆる不揮発性メモリにより構成されている。ＲＯＭ５３には、例えば、プログラム５３ａが格納されている。なお、ＲＡＭ５２およびＲＯＭ５３としては、読み書き自在の不揮発性メモリであるフラッシュメモリが使用されてもよい。
【００４９】
ＣＰＵ４１は、ＲＯＭ５３のプログラム５３ａに従った動作制御やデータ処理を実行する。また、図５中のＣＰＵ４１内に記載されているブロック（符号４２が付与されている）に対応する演算機能は、ＣＰＵ４１により実現される。なお、ブロック４２に対応する演算機能については後述する。
【００５０】
第２通信部５５は、ＣＰＵ４１からの指令に従い、ネットワーク２を介して接続された画像合成装置２０（図１参照）等との間で、データの送受信を実行する。例えば、図１および図５に示すように、第２通信部５５は、第１関連データＲＤ１１を画像合成装置２０に対して送信可能とされている。また、第２通信部５５は、画像合成装置２０から送信される識別情報ＩＤ１を受信可能とされている。
【００５１】
入力部５６は、例えば、キーパッド、キーボード、またはマウスのような入力機器である。これにより、画像格納装置４０では、モニタ５４の表示内容に基づいた入力作業が実行できる。
【００５２】
モニタ５４は、いわゆる液晶ディスプレイ、プラズマディスプレイ、または有機ＥＬ（Electro Luminescence）ディスプレイにより構成された表示機器であり、画面に文字や画像等を表示する。
【００５３】
表示処理部５８は、表示処理部３８と同様に、ビデオコントローラにより構成されており、信号線５８ａを介してモニタ５４と電気的に接続されている。したがって、表示処理部５８により描画処理が実行されると、モニタ５４の画面には文字や図形等が表示される。
【００５４】
入出力処理部５９は、画像格納装置４０と、画像格納装置４０の外部機器との間のデータ授受に使用される。図５に示すように、入出力処理部５９は、信号線５９ａを介して入力部５６と電気的に接続されている。これにより、画像格納装置４０のＣＰＵ４１は、入力部５６からの入力情報を、適切なタイミングで受け付けることができる。
【００５５】
＜１．４．ＣＰＵにより実現される演算機能＞
ここでは、画像合成装置２０のＣＰＵ２１および画像格納装置４０のＣＰＵ４１で実現される演算機能について説明する。
【００５６】
画像合成装置２０の第１取得部２２（図２参照）は、第１通信部３５から画像格納装置４０に識別情報ＩＤ１を送信させる。また、第１取得部２２は、識別情報ＩＤ１の送信に応じて画像格納装置４０から第１通信部３５に送信されるデータを、第１関連データＲＤ１１として取得する。
【００５７】
画像合成装置２０の第２取得部２３（図２参照）は、第２関連データＲＤ１２を取得するために用いられる。ここで、第２関連データＲＤ１２は、使用者が対象物（商品）を用いる場所（以下、「対象空間」とも称する）を撮像した撮像画像のデータ、およびこの撮像画像に関連するデータを含む。撮像画像に撮像された対象空間の具体例としては、使用者の店舗の室内空間を挙げることができる。
【００５８】
本実施の形態において、第２関連データＲＤ１２は、主として、第２画像データＰＤ２と、第２サイズ情報ＳＤ２と、を有している。
【００５９】
第２画像データＰＤ２は、対象空間を撮像した画像に対応するデータである。第２サイズ情報ＳＤ２は、対象空間における対象物（商品）のサイズの指標となる情報である。本実施の形態において、第２サイズ情報ＳＤ２は、タッチパネル部３６からの入力動作によって入力される。
【００６０】
画像合成装置２０の合成部２４（図２参照）は、使用者によるタッチパネル部３６からの操作に従って、第１取得部２２に第１関連データＲＤ１１を、第２取得部２３に第２関連データＲＤ１２を、それぞれ取得させる。また、合成部２４は、第１および第２関連データＲＤ１１、ＲＤ１２に基づいて、撮像画像の上に識別情報ＩＤ１に対応する対象画像１１を重ね合わせた合成画像を生成する。
【００６１】
より具合的には、合成部２４は、第１および第２サイズ情報ＳＤ１、ＳＤ２のピクセル値の比率ＲＴに基づいて第２画像データＰＤ２を伸縮させるとともに、伸縮させられた第２画像データＰＤ２と、第１画像データＰＤ１と、を合成することによって、合成画像に対応する第３画像データＰＤ３を生成する。
【００６２】
ここで、第２画像データＰＤ２の伸縮は、第１サイズ情報ＳＤ１に対する第２サイズ情報ＳＤ２の比率ＲＴに基づいて、第２画像データＰＤ２の縦サイズ（高さ）および横サイズ（幅）を変更することにより実行される。
【００６３】
画像格納装置４０の抽出部４２（図５参照）は、第２通信部５５で識別情報ＩＤ１（より具体的には、識別情報ＩＤ１に含まれる対象物番号ＴＮ：図４参照）が受信されると、この識別情報ＩＤ１に基づいて選択される第１画像データＰＤ１および第１サイズ情報ＳＤ１を、第１関連データＲＤ１１（図６参照）としてデータベース６０から抽出する。また、抽出部４２は、第２通信部５５から画像合成装置２０に、抽出された第１関連データＲＤ１１を送信させる。
【００６４】
＜１．５．第１の実施の形態における合成画像の生成手順＞
図７は、画像生成手順を説明するためのフローチャートである。図８から図１２のそれぞれは、タッチパネル部３６に表示される画面の一例を示す図である。ここでは、図７から図１２を参照しつつ、合成画像の生成手順を説明する。
【００６５】
まず、画像合成装置２０の画像入力部３７によって、表示部５に隣接する格納部６から対象画像１１に関連付けられた識別情報ＩＤ１を、読み取らせる（Ｓ１０１）。そして、読み取られた識別情報ＩＤ１が所望の対象物に対応するものであるときには、図８のタッチパネル部３６に表示された確認ダイアログ３６ａの「はい」コマンドボタン３６ｂを押すことによって、ステップＳ１０２に進ませる。
【００６６】
次に、画像合成装置２０の画像入力部３７によって対象空間を撮像する（Ｓ１０２）。すなわち、所望の画像がタッチパネル部３６に表示されたら、図９のタッチパネル部３６に描画されたボタン３６ｃを押す。これにより、対象空間が撮像され、第２画像データＰＤ２が取得される。
【００６７】
このように、対象空間は、画像合成装置２０の画像入力部３７により撮像可能とされており、画像入力部３７は、撮像画像１６の撮像部としても機能する。また、第２取得部２３は、画像入力部３７により撮像された第２画像データＰＤ２を、第２関連データＲＤ１２の要素として取得する。
【００６８】
続いて、画像入力部３７による第２画像データＰＤ２の読み取りが完了した後において、タッチパネル部３６からの入力動作によって第２サイズ情報ＳＤ２を入力する（Ｓ１０３）。
【００６９】
より具体的には、図１０に示すように、タッチパネル部３６の画面に表示された撮像画像の上に、高さ方向（上下方向）に延びる対象物の寸法線（骨格線）３６ｄを描画する。そして、描画された寸法線３６ｄで問題ない場合には、タッチパネル部３６に表示された確認ダイアログ３６ｅの「はい」コマンドボタン３６ｆを押すことによって、ステップＳ１０４に進ませる。
【００７０】
タッチパネル部３６による第２サイズ情報ＳＤ２の入力が完了した後において、ステップＳ１０１で入力された識別情報ＩＤ１が画像合成装置２０から画像格納装置４０に送信される（Ｓ１０４）。
【００７１】
識別情報ＩＤ１が画像格納装置４０で受け取られると、画像格納装置４０の抽出部４２は、識別情報ＩＤ１に含まれる対象物番号ＴＮと一致するレコードを第１テーブル６１から抽出する。続いて、抽出されたレコードのうち、「第１サイズ情報ＳＤ１」フィールドの値と、「第１画像データＰＤ１」フィールドに対応する画像データと、が第１関連データＲＤ１１（図６参照）として画像格納装置４０から画像合成装置２０に送信される（Ｓ１０５）。
【００７２】
そして、ステップＳ１０２およびＳ１０３で取得された第２関連データＲＤ１２と、ステップＳ１０５で取得された第１関連データＲＤ１１と、に基づいて、撮像画像１６の上に識別情報ＩＤ１に対応する対象画像１１を重ね合わせた合成画像１５が、生成される（図１２：Ｓ１０６）。
【００７３】
＜１．６．第１の実施の形態の画像生成システムの利点＞
以上のように、第１の実施の形態の画像生成システム１００によれば、簡便な操作によって、対象物を仮想的に対象空間（すなわち、撮像画像１６）に配置することができる。そのため、現物の対象物を用意することなく、対象空間における対象物の使用感を確認することができる。
【００７４】
＜２．第２の実施の形態＞
次に、本発明の第２の実施の形態について説明する。第１の実施の形態の画像合成装置２０と、第２の実施の形態の画像生成装置２００と、は対応する第１取得部２２、１２２およびＲＡＭ３２、１３２の構成が異なる点を除いては、同様な構成を有する。そこで、以下では、この相違点を中心に説明する。
【００７５】
なお、画像合成装置２０、画像生成装置２００で同様な構成要素には、同一符号が付されており、この同一符号が付された構成要素は、第１の実施の形態で説明済みである。そのため、本実施の形態では説明を省略する。
【００７６】
＜２．１．画像生成装置の構成＞
図１３は、画像生成装置２００の構成の一例を示す図である。画像生成装置２００は、第１の実施の形態の画像合成装置２０と同様に、いわゆるスマートフォンやタブレット端末のような携帯端末により構成されている。
【００７７】
図１３に示すように、画像生成装置２００は、主として、ＣＰＵ１２１と、ＲＡＭ１３２と、ＲＯＭ３３と、第１通信部３５と、タッチパネル部３６と、画像入力部３７と、を有している。また、ＣＰＵ１２１、ＲＡＭ１３２、ＲＯＭ３３、第１通信部３５、表示処理部３８、および入出力処理部３９は、バス２１ａを介して電気的に接続されている。
【００７８】
ＲＡＭ１３２（記憶部）は、いわゆる揮発性のメモリにより構成されている。ＲＡＭ１３２は、ＣＰＵ１２１の演算で使用されるデータ（例えば、データベース６０）を記憶可能とされている。
【００７９】
ＣＰＵ１２１は、ＲＯＭ３３のプログラム３３ａに従った動作制御やデータ処理を実行する。また、図１３中のＣＰＵ１２１内に記載されているブロック（それぞれ符号１２２、２３、２４が付与されている）に対応する演算機能は、ＣＰＵ１２１により実現される。
【００８０】
第１取得部１２２は、画像入力部３７により識別情報ＩＤ１が読み取られると、この識別情報ＩＤ１に基づいてデータベース６０から抽出される第１画像データＰＤ１および第１サイズ情報ＳＤ１を、第１関連データＲＤ１１として取得する。
【００８１】
＜２．２．第２の実施の形態における合成画像の生成手順＞
図１４は、画像生成手順を説明するためのフローチャートである。ここでは、図１４、および図８から図１２を参照しつつ、合成画像の生成手順を説明する。
【００８２】
まず、画像生成装置２００の画像入力部３７によって、表示部５に隣接する格納部６から対象画像１１に関連付けられた識別情報ＩＤ１を、読み取らせる（Ｓ２０１）。そして、読み取られた識別情報ＩＤ１が所望の対象物に対応するものであるときには、図８のタッチパネル部３６に表示された確認ダイアログ３６ａの「はい」コマンドボタン３６ｂを押すことによって、ステップＳ２０２に進ませる。
【００８３】
次に、画像生成装置２００の画像入力部３７によって対象空間を撮像する（Ｓ２０２）。すなわち、所望の画像がタッチパネル部３６に表示されたら、図９のタッチパネル部３６に描画されたボタン３６ｃを押す。これにより、対象空間が撮像され、第２画像データＰＤ２が取得される。
【００８４】
続いて、画像入力部３７による第２画像データＰＤ２の読み取りが完了した後において、タッチパネル部３６からの入力動作によって第２サイズ情報ＳＤ２を入力する（Ｓ２０３）。
【００８５】
より具体的には、第１の実施の形態と同様に、タッチパネル部３６の画面に表示された撮像画像の上に、高さ方向（上下方向）に延びる対象物の寸法線（骨格線）３６ｄを描画する（図１０参照）。そして、描画された寸法線３６ｄで問題ない場合には、タッチパネル部３６に表示された確認ダイアログ３６ｅの「はい」コマンドボタン３６ｆを押すことによって、ステップＳ２０４に進ませる。
【００８６】
タッチパネル部３６による第２サイズ情報ＳＤ２の入力が完了した後において、画像生成装置２００の第１取得部１２２は、識別情報ＩＤ１に含まれる対象物番号ＴＮと一致するレコードを、第１テーブル６１から抽出する。
【００８７】
続いて、抽出されたレコードのうち、「第１サイズ情報ＳＤ１」フィールドの値と、「第１画像データＰＤ１」フィールドに対応する画像データと、が第１関連データＲＤ１１（図６参照）とされる（Ｓ２０４）。
【００８８】
そして、ステップＳ２０２およびＳ２０３で取得された第２関連データＲＤ１２と、ステップＳ２０４で取得された第１関連データＲＤ１１と、に基づいて、撮像画像１６の上に識別情報ＩＤ１に対応する対象画像１１を重ね合わせた合成画像１５が、生成される（図１２：Ｓ２０５）。
【００８９】
＜２．３．第２の実施の形態の画像生成装置の利点＞
以上のように、第２の実施の形態の画像生成装置２００は、第１の実施の形態の画像生成システム１００と同様に、簡便な操作によって対象物を仮想的に対象空間（すなわち、撮像画像１６）に配置することができる。そのため、現物の対象物を用意することなく、対象空間における対象物の使用感を確認することができる。
【００９０】
＜３．第３の実施の形態＞
次に、本発明の第３の実施の形態について説明する。第１および第３実施の形態の画像生成システム１００、３００は、対応する抽出部４２、２４２およびＲＡＭ５２、２５２の構成が異なる点を除いては、同様な構成を有する。そこで、以下では、この相違点を中心に説明する。
【００９１】
なお、画像生成システム１００、３００で同様な構成要素には、同一符号が付されており、この同一符号が付された構成要素は、第１の実施の形態で説明済みである。そのため、本実施の形態では説明を省略する。
【００９２】
＜３．１．画像格納装置の構成＞
図１は、画像生成システム３００の構成の一例を示す図である。図３は、カタログの構成の一例を示す図である。図１５は、画像格納装置２４０の構成の一例を示す図である。図１６は、第２テーブル２６２のデータ構造の一例を示す図である。図１７は、第１および第２テーブル６１、２６２に基づいて構成される仮想テーブル２６３のデータ構造の一例を示す図である。図１８は、識別情報ＩＤ３の構成の一例を示す図である。
【００９３】
ここで、画像生成システム３００は、カタログ２０１（第１表示媒体）上の各表示部５に表示された対象画像１１（図３参照）に基づいて、カタログ２０１の各表示部５を再合成する。図１に示すように、画像生成システム３００は、主として、画像合成装置２０と、画像格納装置２４０と、を備える。また、画像合成装置２０および画像格納装置２４０は、ネットワーク２を介して通信可能に接続されている。
【００９４】
画像格納装置２４０は、画像格納装置４０と同様に、合成画像の生成に用いられる画像データが格納されるデータサーバである。図１５に示すように、画像格納装置２４０は、主として、主として、ＣＰＵ２４１と、大容量記憶部５１と、ＲＡＭ２５２と、ＲＯＭ５３と、モニタ５４と、第２通信部５５と、入力部５６と、を有している。また、ＣＰＵ２４１、大容量記憶部５１、ＲＡＭ２５２、ＲＯＭ５３、第２通信部５５、表示処理部５８、および入出力処理部５９は、バス４１ａを介して電気的に接続されている。
【００９５】
ＲＡＭ２５２（第１記憶部）は、ＲＡＭ５２と同様に、いわゆる揮発性のメモリにより構成されている。ＲＡＭ２５２は、ＣＰＵ２４１の演算で使用されるデータ（例えば、データベース２６０）を記憶可能とされている。
【００９６】
ここで、データベース２６０は、図１５に示すように、第１テーブル６１と、第２テーブル２６２と、を有している。第２テーブル２６２には、各カタログ１と、対象画像１１と、の対応関係を示す情報が格納されている。図１６に示すように、第２テーブル２６２は、主として、「媒体番号ＭＮ」および「対象物番号ＴＮ」の各フィールドを有している。
【００９７】
「媒体番号ＭＮ」フィールドには、各カタログ２０１に対して付与されたコード（例えば、英数字、および／または、記号）が、格納されている。また、「対象物番号ＴＮ」フィールドには、第１テーブル６１の「対象物番号ＴＮ」のいずれかに格納された値と一致する値が格納されている。
【００９８】
したがって、第２テーブル２６２の各レコードのうち、「媒体番号ＭＮ」の値が特定の値と等しくなる一又は複数のレコードが選択されることによって、特定のカタログ２０１に対応する「対象物番号ＴＮ」が抽出される。
【００９９】
そして、第２テーブル２６２から選択された一又は複数のレコードのそれぞれに、「対象物番号ＴＮ」に対応する「第１サイズ情報ＳＤ１」および「第１画像データＰＤ１」が付加されることによって、仮想テーブル２６３（図１７参照）が構成される。
【０１００】
このように、データベース２６０は、媒体番号ＭＮと、第１画像データＰＤ１と、第１サイズ情報ＳＤ１と、を関連付けて１つのレコードとして格納可能なデータベースであるとみなすことができる。
【０１０１】
ＣＰＵ２４１は、ＣＰＵ４１と同様に、ＲＯＭ５３のプログラム５３ａに従った動作制御やデータ処理を実行する。また、図１５中のＣＰＵ２４１内に記載されているブロック（符号２４２が付与されている）に対応する演算機能は、ＣＰＵ２４１により実現される。
【０１０２】
抽出部２４２は、識別情報ＩＤ３（図１８参照）に基づいて抽出された第１関連データＲＤ３１を、画像合成装置２０に送信する。すなわち、抽出部２４２は、識別情報ＩＤ３（より具体的には、識別情報ＩＤ３に含まれる媒体番号ＭＮ）に基づいて、第２テーブル２６２の各レコードのうち、「媒体番号ＭＮ」の値が識別情報ＩＤ３と等しくなるものを選択する。
【０１０３】
続いて、抽出部２４２は、選択された各レコードに、「対象物番号ＴＮ」に対応する「第１サイズ情報ＳＤ１」および「第１画像データＰＤ１」を付加した仮想テーブル２６３を生成する（図１７参照）。
【０１０４】
そして、抽出部２４２は、仮想テーブル２６３の各レコード（すなわち、一又は複数レコード）を、データベース２６０から抽出された第１関連データＲＤ３１として、第２通信部５５から画像合成装置２０に送信させる。
【０１０５】
＜３．２．第３の実施の形態における合成画像の生成手順＞
図１９は、画像生成手順を説明するためのフローチャートである。図２０は、カタログ２０１の表紙２０１ｂの一例を示す図である。図２１は、タッチパネル部３６に表示される画面の一例を示す図である。図２２は、再合成された表示部５の一例を示す図である。ここでは、図１９から図２２、および図９から図１１を参照しつつ、各表示部の再合成手順を説明する。
【０１０６】
ここで、本実施の形態のカタログ２０１（第１表示媒体）は、第１の実施の形態のカタログ１と同様に、商品を掲載するための印刷物である。図３に示すように、カタログ２０１の紙面１ａには、商品（対象物）を表示する複数の表示部５（５ａ、５ｂ）が設けられている。
【０１０７】
また、カタログ２０１の表紙２０１ｂには、このカタログ２０１を特定するための格納部２０６が設けられている。本実施の形態では、格納部２０６として２次元バーコードが採用されており、格納部２０６は画像入力部３７により読取可能とされている。
【０１０８】
また、格納部２０６には、媒体番号ＭＮを含む識別情報ＩＤ３（図１８参照）が格納されている。媒体番号ＭＮは、各カタログ２０１を一意に特定するためのコードである。ここで、本実施の形態において、同種のカタログ（例えば、改訂番号が同じカタログ）には、同一の媒体番号ＭＮが付与されている。
【０１０９】
まず、画像合成装置２０の画像入力部３７によって、カタログ２０１の表紙２０１ｂに設けられた格納部２０６から、このカタログ２０１に関連付けられた識別情報ＩＤ３を、読み取らせる（Ｓ３０１）。そして、読み取られた識別情報ＩＤ３が所望のカタログ２０１に対応するものであるときには、図２１のタッチパネル部３６に表示された確認ダイアログ３６ｇの「はい」コマンドボタン３６ｈを押すことによって、ステップＳ３０２に進ませる。
【０１１０】
次に、画像合成装置２０の画像入力部３７によって対象空間を撮像する（Ｓ３０２）。すなわち、所望の画像がタッチパネル部３６に表示されたら、図９のタッチパネル部３６に描画されたボタン３６ｃを押す。これにより、対象空間が撮像され、第２画像データＰＤ２が取得される。
【０１１１】
続いて、画像入力部３７による第２画像データＰＤ２の読み取りが完了した後において、タッチパネル部３６からの入力動作によって第２サイズ情報ＳＤ２を入力する（Ｓ３０３）。
【０１１２】
より具体的には、第１の実施の形態と同様に、タッチパネル部３６の画面に表示された撮像画像の上に、高さ方向（上下方向）に延びる対象物の寸法線（骨格線）３６ｄを描画する（図１０参照）。そして、描画された寸法線３６ｄで問題ない場合には、タッチパネル部３６に表示された確認ダイアログ３６ｅの「はい」コマンドボタン３６ｆを押すことによって、ステップＳ３０４に進ませる。
【０１１３】
タッチパネル部３６による第２サイズ情報ＳＤ２の入力が完了した後において、ステップＳ３０１で入力された識別情報ＩＤ３が画像合成装置２０から画像格納装置２４０に送信される（Ｓ３０４）。
【０１１４】
識別情報ＩＤ３が画像格納装置２４０で受け取られると、画像格納装置２４０の抽出部４２は、識別情報ＩＤ３に基づいて仮想テーブル２６３を生成する。また、抽出部２４２は、仮想テーブル２６３に含まれる一又は複数のレコードを、第１関連データＲＤ３１（図１７参照）として画像格納装置２４０から画像合成装置２０に送信される（Ｓ３０５）。
【０１１５】
そして、ステップＳ３０２およびＳ３０３で取得された第２関連データＲＤ１２と、ステップＳ３０５で取得された第１関連データＲＤ３１と、に基づいて、各表示部５が再合成されたカタログ２０２（第２表示媒体）が、生成される（図２２：Ｓ３０６）。
【０１１６】
具体的には、画像合成装置２０の合成部２４は、各表示部５に対応する第１サイズ情報ＳＤ１と、第２サイズ情報ＳＤ２と基づいて第２画像データＰＤ２を伸縮させる。次に、合成部２４は、伸縮させられた第２画像データＰＤ２と、第１画像データＰＤ１と、を合成することによって、各表示部５の合成画像となる第３画像データＰＤ３を生成する。
【０１１７】
続いて、合成部２４は、各表示部５に対応する第３画像データＰＤ３に従って、各表示部５の標本画像１０を対応する合成画像１５に置換する。これにより、紙面２０２ａの各表示部５が再合成されたカタログ２０２が作成される（図２２）。
【０１１８】
＜３．３．第３の実施の形態の画像生成システムの利点＞
以上のように、第３の実施の形態の画像生成システム３００は、各表示部５の標本画像１０を対応する合成画像１５に置換したカタログ２０２（第２表示媒体）を、簡便な操作により生成することができる。すなわち、各表示部５に含まれる対象物を仮想的に対象空間（すなわち、撮像画像１６）に配置することができる。そのため、現物の対象物を用意することなく、対象空間における各対象物の使用感を確認することができる。
【０１１９】
＜４．第４の実施の形態＞
次に、本発明の第４の実施の形態について説明する。第３の実施の形態の画像合成装置２０と、第４の実施の形態の画像生成装置４００と、は対応する第１取得部２２、３２２およびＲＡＭ３２、３３２の構成が異なる点を除いては、同様な構成を有する。そこで、以下では、この相違点を中心に説明する。
【０１２０】
なお、画像合成装置２０、画像生成装置４００で同様な構成要素には、同一符号が付されており、この同一符号が付された構成要素は、第１および第３の実施の形態で説明済みである。そのため、本実施の形態では説明を省略する。
【０１２１】
＜４．１．画像生成装置の構成＞
図２３は、画像生成装置４００の構成の一例を示す図である。画像生成装置２００は、第１の実施の形態の画像合成装置２０と同様に、いわゆるスマートフォンやタブレット端末のような携帯端末により構成されている。
【０１２２】
図２３に示すように、画像生成装置４００は、主として、ＣＰＵ３２１と、ＲＡＭ３３２と、ＲＯＭ３３と、第１通信部３５と、タッチパネル部３６と、画像入力部３７と、を有している。また、ＣＰＵ３２１、ＲＡＭ３３２、ＲＯＭ３３、第１通信部３５、表示処理部３８、および入出力処理部３９は、バス２１ａを介して電気的に接続されている。
【０１２３】
ＲＡＭ３３２（記憶部）は、いわゆる揮発性のメモリにより構成されている。ＲＡＭ３３２は、ＣＰＵ３２１の演算で使用されるデータ（例えば、データベース２６０）を記憶可能とされている。
【０１２４】
ＣＰＵ３２１は、ＲＯＭ３３のプログラム３３ａに従った動作制御やデータ処理を実行する。また、図２３中のＣＰＵ３２１内に記載されているブロック（それぞれ符号３２２、２３、２４が付与されている）に対応する演算機能は、ＣＰＵ３２１により実現される。
【０１２５】
第１取得部３２２は、識別情報ＩＤ３（図１８参照）に基づいて抽出された第１関連データＲＤ３１を、取得する。すなわち、第１取得部３２２は、識別情報ＩＤ３（より具体的には、識別情報ＩＤ３に含まれる媒体番号ＭＮ）に基づいて、第２テーブル２６２の各レコードのうち、「媒体番号ＭＮ」の値が識別情報ＩＤ３と等しくなるものを選択する。
【０１２６】
続いて、第１取得部３２２は、選択された各レコードに、「対象物番号ＴＮ」に対応する「第１サイズ情報ＳＤ１」および「第１画像データＰＤ１」を付加した仮想テーブル２６３を生成する（図１７参照）。
【０１２７】
そして、第１取得部３２２は、仮想テーブル２６３の各レコード（すなわち、一又は複数レコード）を、データベース２６０から抽出された第１関連データＲＤ３１として取得する。
【０１２８】
＜４．２．第４の実施の形態における合成画像の生成手順＞
図２４は、画像生成手順を説明するためのフローチャートである。ここでは、図２４、図９から図１１、および図２１を参照しつつ、各表示部の再合成手順を説明する。
【０１２９】
まず、画像生成装置４００の画像入力部３７によって、カタログ２０１の表紙２０１ｂに設けられた格納部２０６から、このカタログ２０１に関連付けられた識別情報ＩＤ３を、読み取らせる（Ｓ４０１）。そして、読み取られた識別情報ＩＤ３が所望のカタログ２０１に対応するものであるときには、図２１のタッチパネル部３６に表示された確認ダイアログ３６ｇの「はい」コマンドボタン３６ｈを押すことによって、ステップＳ４０２に進ませる。
【０１３０】
次に、画像生成装置４００の画像入力部３７によって対象空間を撮像する（Ｓ４０２）。すなわち、所望の画像がタッチパネル部３６に表示されたら、図９のタッチパネル部３６に描画されたボタン３６ｃを押す。これにより、対象空間が撮像され、第２画像データＰＤ２が取得される。
【０１３１】
続いて、画像入力部３７による第２画像データＰＤ２の読み取りが完了した後において、タッチパネル部３６からの入力動作によって第２サイズ情報ＳＤ２を入力する（Ｓ４０３）。
【０１３２】
より具体的には、第１の実施の形態と同様に、タッチパネル部３６の画面に表示された撮像画像の上に、高さ方向（上下方向）に延びる対象物の寸法線（骨格線）３６ｄを描画する（図１０参照）。そして、描画された寸法線３６ｄで問題ない場合には、タッチパネル部３６に表示された確認ダイアログ３６ｅの「はい」コマンドボタン３６ｆを押すことによって、ステップＳ４０４に進ませる。
【０１３３】
タッチパネル部３６による第２サイズ情報ＳＤ２の入力が完了した後において、画像生成装置４００の第１取得部３２２は、識別情報ＩＤ３に基づいて仮想テーブル２６３を生成する。また、第１取得部３２２は、仮想テーブル２６３に含まれる一又は複数のレコードを、第１関連データＲＤ３１（図１７参照）として取得する（Ｓ４０４）。
【０１３４】
そして、ステップＳ４０２およびＳ４０３で取得された第２関連データＲＤ１２と、ステップＳ４０４で取得された第１関連データＲＤ３１と、に基づいて、各表示部５が再合成されたカタログ２０２（第２表示媒体）が、生成される（図２２：Ｓ４０５）。
【０１３５】
具体的には、画像合成装置２０の合成部２４は、各表示部５に対応する第１サイズ情報ＳＤ１と、第２サイズ情報ＳＤ２と基づいて第２画像データＰＤ２を伸縮させる。次に、合成部２４は、伸縮させられた第２画像データＰＤ２と、第１画像データＰＤ１と、を合成することによって、各表示部５の合成画像となる第３画像データＰＤ３を生成する。
【０１３６】
続いて、合成部２４は、各表示部５に対応する第３画像データＰＤ３に従って、各表示部５の標本画像１０を対応する合成画像１５に置換する。これにより、紙面２０２ａの各表示部５が再合成されたカタログ２０２が作成される（図２２）。
【０１３７】
＜４．３．第４の実施の形態の画像生成システムの利点＞
以上のように、第４の実施の形態の画像生成装置４００は、第３の実施の形態の画像生成システム３００と同様に、各表示部５の標本画像１０を対応する合成画像１５に置換したカタログ２０２（第２表示媒体）を、簡便な操作により生成することができる。すなわち、各表示部５に含まれる対象物を仮想的に対象空間（すなわち、撮像画像１６）に配置することができる。そのため、現物の対象物を用意することなく、対象空間における各対象物の使用感を確認することができる。
【０１３８】
＜５．第５の実施の形態＞
次に、本発明の第５の実施の形態について説明する。第１および第５実施の形態の画像生成システム１００、５００は、読取対象となる格納部６、４０６の構成が異なる点を除いては、同様な構成を有する。そこで、以下では、この相違点を中心に説明する。
【０１３９】
なお、画像生成システム１００、５００で同様な構成要素には、同一符号が付されており、この同一符号が付された構成要素は、第１の実施の形態で説明済みである。そのため、本実施の形態では説明を省略する。
【０１４０】
＜５．１．画像合成装置の構成＞
図２５は、画像生成システム５００の構成の一例を示す図である。図２６は、対象物の構成の一例を示す図である。図２７は、画像合成装置４２０の構成の一例を示す図である。ここで、画像生成システム５００は、予め準備された対象物の対象画像に基づいて、合成画像を生成する。図２５に示すように、画像生成システム５００は、主として、画像合成装置４２０と、画像格納装置４０と、を備える。また、画像合成装置４２０および画像格納装置４０は、ネットワーク２を介して通信可能に接続されている。
【０１４１】
ここで、本実施の形態の対象物４０１は、例えば取引の対象となる商品自体である。より具体的には、本実施の形態では対象物４０１としてユニフォーム（制服）が、採用されている。また、画像格納装置４０に記憶されている第１テーブル６１には、ユニフォームを着用した人物の画像（すなわち、第１の実施の形態の対象画像１１）に関する情報が格納されている。
【０１４２】
また、図２６に示すように、対象物４０１には、例えばＲＦＩＤ（Radio Frequency IDentification）のような電子記憶媒体の格納部４０６が付設されている。この格納部４０には、第１の実施の形態の格納部６と同様に、識別情報ＩＤ１が格納されている。
【０１４３】
画像合成装置４２０は、第１の実施の形態の画像合成装置２０と同様に、合成画像の生成を指示する使用者の端末である。図２７に示すように、画像合成装置４２０は、主として、ＣＰＵ２１と、ＲＡＭ３２と、ＲＯＭ３３と、第１通信部３５と、タッチパネル部３６と、画像入力部３７と、読取部４３７と、を有している。また、ＣＰＵ２１、ＲＡＭ３２、ＲＯＭ３３、第１通信部３５、表示処理部３８、および入出力処理部３９は、バス２１ａを介して電気的に接続されている。
【０１４４】
読取部４３７は、対象物４０１に付設された格納部４０６から、対象画像１１に関連付けられた識別情報ＩＤ１を読み取る。本実施の形態において、読取部４３７としては、ＲＦＩＤリーダまたはＲＦＩＤリーダ・ライタが、採用されても良い。
【０１４５】
そして、本実施の形態では、第１の実施の形態と同様に、識別情報ＩＤ１に基づいて画像格納装置４０で抽出された第１関連データＲＤ１１と、画像合成装置４２０で取得された第２関連データＲＤ１２と、に基づいて撮像画像１６の上に対象画像１１を重ね合わせた合成画像１５が、生成される（図８から図１２参照）。
【０１４６】
＜５．２．第５の実施の形態の画像生成システムの利点＞
以上のように、第５の実施の形態の画像生成システム５００によれば、第１の実施の形態の画像生成システム１００と同様に、簡便な操作によって対象物を仮想的に対象空間（すなわち、撮像画像１６）に配置することができる。そのため、対象物を対象空間にて使用することなく、対象空間における対象物の使用感を確認することができる。
【０１４７】
＜６．第６の実施の形態＞
次に、本発明の第６の実施の形態について説明する。第２および第６実施の形態の画像生成装置２００、６００は、読取対象となる格納部６、４０６の構成が異なる点を除いては、同様な構成を有する。そこで、以下では、この相違点を中心に説明する。
【０１４８】
なお、画像生成装置２００、６００で同様な構成要素には、同一符号が付されており、この同一符号が付された構成要素は、第１、第２、および第５の実施の形態で説明済みである。そのため、本実施の形態では説明を省略する。
【０１４９】
＜６．１．画像生成装置の構成＞
図２８は、画像生成装置６００の構成の一例を示す図である。図２６は、対象物の構成の一例を示す図である。図２７は、画像合成装置４２０の構成の一例を示す図である。ここで、画像生成装置６００は、第５の実施の形態の画像生成システム５００と同様に、予め準備された対象物の対象画像に基づいて、合成画像を生成する。また、画像生成装置６００は、第１の実施の形態の画像合成装置２０と同様に、いわゆるスマートフォンやタブレット端末のような携帯端末により構成されている。
【０１５０】
図２８に示すように、画像生成装置６００は、主として、ＣＰＵ１２１と、ＲＡＭ１３２と、ＲＯＭ３３と、第１通信部３５と、タッチパネル部３６と、画像入力部３７と、読取部４３７と、を有している。また、ＣＰＵ１２１、ＲＡＭ１３２、ＲＯＭ３３、第１通信部３５、表示処理部３８、および入出力処理部３９は、バス２１ａを介して電気的に接続されている。
【０１５１】
そして、本実施の形態では、第２の実施の形態と同様に、識別情報ＩＤ１に基づいて抽出された第１関連データＲＤ１１と、タッチパネル部３６および画像入力部３７を介して取得された第２関連データＲＤ１２と、に基づいて撮像画像１６の上に対象画像１１を重ね合わせた合成画像１５が、生成される（図８から図１２参照）。
【０１５２】
＜６．２．第６の実施の形態の画像生成システムの利点＞
以上のように、第６の実施の形態の画像生成装置６００によれば、第５の実施の形態の画像生成システム５００と同様に、簡便な操作によって対象物を仮想的に対象空間（すなわち、撮像画像１６）に配置することができる。そのため、対象物を対象空間にて使用することなく、対象空間における対象物の使用感を確認することができる。
【０１５３】
＜７．変形例＞
以上、本発明の実施の形態について説明してきたが、本発明は上記実施の形態に限定されるものではなく様々な変形が可能である。
【０１５４】
（１）第１から第４の実施の形態において、格納部６、２０６は、２次元バーコードにより構成されているものとして説明したが、これに限定されるものでない。例えば、格納部６、２０６としては、一次元バーコードが採用されても良いし、ＲＦＩＤのような電子記憶媒体が採用されても良い。なお、ＲＦＩＤが採用される場合には、読取部としてＲＦＩＤリーダやＲＦＩＤリーダ・ライタ等を別途設けることが必要となる。
【０１５５】
（２）また、第５および第６の実施の形態において、格納部４０６は、ＲＦＩＤのような電子記憶媒体により構成されているものとして説明したが、これに限定されるものでない。例えば、格納部４０６として、１次元または２次元バーコードが採用されても良い。この場合、格納部４０６の読み取りは、画像入力部３７により実行される。
【０１５６】
（３）また、第１から第４の実施の形態において、カタログ１は印刷物であるものとして説明したがこれに限定されるものでない。例えば、カタログ１は、パーソナルコンピュータのモニタ、または、いわゆるスマートフォンのタッチパネル部等に電磁的方法により表示されるものであっても良い。すなわち、カタログ１は、対象物を表示可能な表示媒体であれば十分である。
【０１５７】
（４）また、第１から第６の実施の形態において、第２サイズ情報ＳＤ２はタッチパネル部３６からの入力動作によって入力されるものとして説明したが、これに限定されるものでない。例えば、第２サイズ情報ＳＤ２としては、識別情報ＩＤ１、ＩＤ３を読み取る前に、予め設定されているものが用いられても良い。
【０１５８】
例えば、予め設定される第２サイズ情報ＳＤ２の値としては、「タッチパネル部３６の画面縦方向のサイズ」×「０．９」（単位：ピクセル）が、採用されても良い。また、予め設定された第２サイズ情報ＳＤ２の値を用いる場合、対象画像１１の中心位置と、タッチパネル部３６の画面中心と、が一致するように、対象画像１１がタッチパネル部３６の画面上に配置されても良い。
【０１５９】
（５）また、第１から第６の実施の形態において、第２画像データＰＤ２は、合成処理の中で、撮像されるものとして説明したが、これに限定されるものでない。
【０１６０】
第２画像データＰＤ２は、予め、ＲＡＭ３２、５２、１３２、２５２、３３２、または大容量記憶部５１などの記憶部（第２記憶部）に記憶させられるとともに、合成処理の実行時にこの予め記憶させた第２画像データＰＤ２が、第２関連データＲＤ１２の要素として取得されても良い。
【０１６１】
この場合、第２サイズ情報ＳＤ２は、（Ａ）第２画像データＰＤ２に付随して記憶部に記憶させられても良いし、（Ｂ）予め記憶された第２画像データＰＤ２をタッチパネル部３６に表示させた上で、タッチパネル部３６からの入力動作により入力されても良い。
【０１６２】
（６）また、第１、第３、および第５の実施の形態において、識別情報ＩＤ１、ＩＤ３は、タッチパネル部３６による第２サイズ情報ＳＤ２の入力が完了した後に、画像合成装置２０から画像格納装置４０、２４０に送信されるものとして説明したが、識別情報ＩＤ１、ＩＤ３の送信タイミングこれに限定されるものでない。識別情報ＩＤ１、ＩＤ３の送信は、識別情報ＩＤ１、ＩＤ３の読取時点からタッチパネル部３６による第２サイズ情報ＳＤ２の入力時点の間の任意のタイミングで実行されても良い。
【０１６３】
（７）さらに、第１から第６の実施の形態において、対象空間の撮像は、スマートフォンやタブレット端末のような携帯端末により実行されるものとして説明したが、これに限定されるものでなく、パーソナルコンピュータやワークステーションのような電子計算機により実行されても良い。
【符号の説明】
【０１６４】
１、２０１、２０２  カタログ（表示媒体、第１表示媒体、第２表示媒体）
５（５ａ、５ｂ）、２０５（２０５ａ、２０５ｂ）  表示部
６、２０６、４０６  格納部
１０  標本画像
１１  対象画像
１２  背景画像
１５  合成画像
１６  撮像画像
２０、４２０  画像合成装置
２２、１２２、３２２  第１取得部
２３  第２取得部
２４  合成部
３２、５２、１３２、２５２、３３２  ＲＡＭ
３５  第１通信部
３６  タッチパネル部（操作部）
３７  画像入力部
４０、２４０  画像格納装置
４２、２４２  抽出部
５５  第２通信部
６０、２６０  データベース
６１、２６２  第１および第２テーブル
１００、３００、５００  画像生成システム
２００、４００、６００  画像生成装置
２６３  仮想テーブル
４０１  対象物
４３７  読取部
ＩＤ１、ＩＤ３  識別情報
ＭＮ  媒体番号
ＰＤ１〜ＰＤ３  第１〜第３画像データ
ＲＤ１１、ＲＤ３１  第１関連データ
ＲＤ１２  第２関連データ
ＳＤ１、ＳＤ２  第１および第２サイズ情報
ＴＮ  対象物番号
【図１】
2018136901.tif 000003
【図２】
2018136901.tif 000004
【図３】
2018136901.tif 000005
【図４】
2018136901.tif 000006
【図５】
2018136901.tif 000007
【図６】
2018136901.tif 000008
【図７】
2018136901.tif 000009
【図８】
2018136901.tif 000010
【図９】
2018136901.tif 000011
【図１０】
2018136901.tif 000012
【図１１】
2018136901.tif 000013
【図１２】
2018136901.tif 000014
【図１３】
2018136901.tif 000015
【図１４】
2018136901.tif 000016
【図１５】
2018136901.tif 000017
【図１６】
2018136901.tif 000018
【図１７】
2018136901.tif 000019
【図１８】
2018136901.tif 000020
【図１９】
2018136901.tif 000021
【図２０】
2018136901.tif 000022
【図２１】
2018136901.tif 000023
【図２２】
2018136901.tif 000024
【図２３】
2018136901.tif 000025
【図２４】
2018136901.tif 000026
【図２５】
2018136901.tif 000027
【図２６】
2018136901.tif 000028
【図２７】
2018136901.tif 000029
【図２８】
2018136901.tif 000030